(57)【特許請求の範囲】
【請求項１】
機体の少くとも上面部分に、モータによって回転して石膏模型を咬合診断器にマウントした状態のまま、石膏模型自身又は石膏模型に装着して成形中の咬合矯正用のスプリント（咬合挙上副子）を切削及び研磨して整形することができる円盤状の砥石を設けると共に、この砥石の周辺部分の両側には、切削及び研磨によって発生した粉塵を吸引して集塵することができる吸引ノズルを設けたことを特徴とする石膏模型用整形装置。
【請求項２】
上面部に砥石と吸引ノズルを設けた機体の側面に、石膏模型をマウントした咬合診断器の基板を嵌込む嵌込口を設け、この嵌込口の内部には嵌込まれた基板を固定する固定金具を設けたことを特徴とする請求項１記載の石膏模型用整形装置。
【発明の詳細な説明】
【０００１】
【発明の属する技術分野】
本発明は、咬合診断器に用いる上顎及び下顎の各診断模型（石膏模型）や、この診断模型に装着して成形するスプリント（咬合挙上副子）を切削及び研磨して整形する場合に用いて好適な石膏模型用整形装置に関するものである。
【０００２】
【従来の技術】
上顎と下顎の咬合の正否を診断する場合には、患者から採取した印象に石膏を注入することによって、上顎と下顎の診断用の石膏模型を造り、これ等上顎と下顎の各石膏模型を、例えば特願平１０−１０３７８０号に記載されているような咬合診断器の上顎と下顎の各基定板に上下に相対向させてマウントし、次いで、これ等上下の石膏模型を咬合させることにより、咬合の正否を診断する一方、咬合のズレをメジャー等によって計測して治療に役立てることができる仕組に成っている。
【０００３】
更に上記の咬合診断器は、咬合のズレを計測できるだけではなく、マウントした石膏模型にシリコーン樹脂等を被せることによって、咬合のズレを矯正できるスプリントを正確に作成することを可能にしている。
【０００４】
しかし、上記の咬合診断器にマウントした石膏模型はそのまま咬合診断に使用できるものではなく、必要に応じて不適切な部分を削ったり研磨して整形したりする必要があり、更にスプリントの作成に当っては不必要な樹脂材を切削して正しい咬合状態に整形する必要がある。
【０００５】
【発明が解決しようとする課題】
ところが、現在のところ上記の石膏模型を切削及び研磨したり、上記のスプリントを切削及び研磨して正しい咬合状態に整形するための適当な道具類や装置類が存在せず、ヤスリやナイフと言った手近な工具類を用いて作業を行わなくてはならないため、加工不良によるマウントの失敗や咬合のミス、或は、加工時の粉塵発生による環境汚染と言った各種の問題が発生していた。
【０００６】
従って本発明の技術的課題は、咬合診断器にマウントした石膏模型や、この石膏模型に装着して成形するスプリントの修正や調整のための各種の整形加工を、極めて簡単に、且つ、粉塵を発生させることなく衛生的に行うことができるように工夫した石膏模型用整形装置を提供することである。
【０００７】
【課題を解決するための手段】
上記の技術的課題を解決するために本発明で講じた手段は以下の如くである。
【０００８】
（１）  機体の少くとも上面部分に、モータによって回転して石膏模型を咬合診断器にマウントした状態のまま、石膏模型自身又は石膏模型に装着して成形中の咬合矯正用のスプリント  （咬合挙上副子）を切削及び研磨して整形することができる円盤状の砥石を設けると共に、この砥石の周辺部分の両側には、切削及び研磨によって発生した粉塵を吸引して集塵することができる吸引ノズルを設けること。（請求項１）
【０００９】
（２）  上面部に砥石と吸引ノズルを設けた機体の側面に、石膏模型をマウントした咬合診断器の基板を嵌込む嵌込口を設け、この嵌込口の内部には嵌込まれた基板を固定する固定金具を設けること。（請求項２）
【００１０】
上記（１）で述べた請求項１に係る手段によれば、咬合診断器にマウントした石膏模型、或は、この石膏模型に装着して成形中のスプリントの修正箇所を、咬合診断器にマウントさせたまま、モータによって回転する砥石によって簡単に、且つ、確実に切削及び研磨することができるため、これ等石膏模型及びスプリントを思い通りの形状にきれいに整形して仕上加工することができ、加工不良によるマウントの失敗や、咬合のミスと言った各種問題の発生を解消することができると共に、上記砥石による整形加工を咬合診断器にマウントした状態のまま、咬合診断器を操作して行うことができるため、その整形加工を簡単に、且つ、正確に行うことを可能にする。
【００１１】
更に上記（１）で述べた手段によれば、切削及び研磨によって発生する石膏や合成樹脂の粉塵を、砥石の周辺部両側に設けた吸引ノズルが吸引して集塵するため、粉塵飛散による環境汚染の問題も解消して、衛生的に作業を進めることを可能にする。
【００１２】
上記（２）で述べた請求項２に係る手段によれば、砥石による石膏模型とスプリントの切削及び研磨の各作業を、石膏模型をマウントした咬合診断器の基板を、機体の嵌込口に嵌込んで固定金具で固定することにより、咬合診断器を整形装置側に直接組付けて行うことができるため、各作業を適格に、且つ、円滑に行うことを可能にする。
【００１３】
以上の如くであるから、上記（１）と（２）の手段によって上述した技術的課題を解決して、前記従来の技術の問題点を解消することができる。
【００１４】
【発明の実施の形態】
以下に、本発明に係る石膏模型用整形装置の実施の形態を図面と共に詳細に説明すると、図１は本発明の平面図、図２はその正面図、図３と図４は左右の側面図を示したものであって、これ等の図面に於いて、夫々符号１で全体的に示したのはボックス状に造った整形装置の機体、２はこの機体１の上面に回転自在及び取外し自在（交換自在）に取付けた砥石で、全体を円盤状に造ったこの砥石２は、上記機体１の内部に取付けたモータ７Ｍによって任意の速度で回転される仕組に成っている。
【００１５】
２Ａは上記の砥石２を交換自在に取付けた回転軸、５は機体１内に突出したこの回転軸２Ａの下端部に取付けた回転プーリ、７は上記モータ７Ｍの駆動軸に取付けた駆動プーリ、６はこれ等駆動プーリ７と回転プーリ５の間に掛渡したタイミングベルトであって、上記のモータ７Ｍが回転すると、このタイミングベルト６が回転して砥石２を駆動回転するように構成されている。
【００１６】
３，３はその吸込口を上記砥石２の左右両側の周辺部に臨ました状態で、上記機体１の上面に固定金具３′，３′を用いて取付けた吸引ノズル、４は吸引ダクト３Ａ，３Ａを介して吸引ノズル３，３に対して集塵用の吸引作用を及ぼすブロアーであって、図示の場合は、ブロアー４の吸引作用を受けて吸引ノズル３，３が吸引した粉塵を、ブロアー４の内部に設けたフイルター（図示省略）に捕集させて濾過するように構成しているが、各吸引ノズル３，３自身に吸引用のブロアーと集塵用のフイルターを具備させた構成にしてもよく、その選択は任意とする。
【００１７】
更に図２に於いて、１Ｈは上記機体１の側面に開口した嵌込口、８，８と８Ａ，８Ａはこの嵌込口１Ｈの内部に設けたバランサー固定金具とその調節ネジを示し、また、図３と図４に於いて２Ｈは砥石２の周囲に設けた保護用カバー、９は駆動スイッチ、１０は入力電源、１１は出力電源を示す。
【００１８】
本発明に係る石膏模型用整形装置は、図６に示すように石膏模型ＭＫをマウントした咬合診断器Ｔを機体１に直接組付けることによって、上記の石膏模型ＭＫ、又は、石膏模型ＭＫに装着した咬合修正用のスプリントＭＫ′（点線で示す）の不要な箇所、或は、修正箇所（主としてその底面）を上記の砥石２で切削及び研磨して整形するものであるが、次に、上記咬合診断器Ｔの構成を図５の記載に基づいて説明する。
【００１９】
図５に於いて符号Ｔで全体的に示した咬合診断器は、特願平１０−１０３７８０号に記載されているものであって、図中、１２は基板、１３はこの基板１２に凹設したスライド溝１２Ａの内部に正中線方向（マウントする石膏模型の正中口蓋縫線の方向）に移動自在に嵌込んだ下顎基定板、１３Ａはこの基定板１３の前面に表示したメジャー、１４，１４は下顎基定板１３の移動を固定する締付ネジ、１５は下顎基定板１３の上面中央部で、且つ、上記正中線の方向に沿って設けた下顎中央ブレードを示す。
【００２０】
また、１６は上記基板１２の一側に立設したガイド柱、１７はこのガイド柱１６に対向させて基板１２の他側に立設した昇降柱、１８は一端部を昇降柱１７に固定し、他端部をガイド柱１６に装着した昇降板で、昇降柱１７は上端に設けた摘み１７Ａを回転操作することにより、ボルトとナットの噛合によってセンター軸に沿って上下動して、昇降板１８をガイド柱１６にガイドさせながら基板１２（下顎基定板１３）に対して平行に上下動する仕組に成っており、また、この昇降板１８の上下動はガイド柱１６の前面に表示したメジャー１６Ａで計測できるように構成されている。
【００２１】
更に図中、１９は根端部を上記昇降板１８に取付けた上顎基定板、１９Ａはその前面に設けたメジャー、２０は上顎基定板の底面中央部に正中線に沿って設けた上顎中央ブレードを示し、また、ＮＫとＭＫは下顎と上顎の各診断用石膏模型、ＮＳとＭＳは各石膏模型ＮＫ，ＭＫに一体形成したマウント用の取付台で、各石膏模型ＮＫとＭＫはこれ等の取付台ＮＳとＭＳを夫々取付具２２及び２１と、支持板１３Ｔ及び１９Ｂとによって上記の下顎基定板１３の上面と、下顎基定板１９の底面にマウントされる仕組に成っている。
【００２２】
尚、図５に於いて２１Ｔは上記上側の取付具２１に設けた固定棒で、上記下側の取付具２２にもこれと同じ固定棒が設けられていて、これ等の固定棒を各マウント用の取付台ＮＳ，ＭＳの側面を貫いて上記下顎と上顎の各中央ブレード１５，２０に穿設した各挿通穴（図示省略）に挿通することにより、各石膏模型ＮＫとＭＫを図示の如くマウントできるように構成されている。
【００２３】
この様に下顎と上顎の各診断用の石膏模型ＮＫ，ＭＫをマウントすることにより、下顎と上顎の咬合具合を診断することができ、且つ、下顎基定板１３を正中線方向に移動することにより、上顎診断用の石膏模型ＭＫとの咬合のズレを調整できると共に、そのズレの度合をメジャーで見ることによって正確に把握することができる。
【００２４】
更に、各石膏模型ＭＫ，ＮＫの咬合具合を診断するには、上記出願（特願平１０−１０３７８０号）の図７並びに図８に示すように下顎基定板１３の上部に咬合平面板（図示省略）を設置する一方、上顎基定板１９の底面に石膏模型ＭＫまたはＮＫを取付けて、昇降柱１７の摘み１７Ａを回転操作して石膏模型ＭＫまたはＮＫが上記の咬合平面版に接する迄降下させることにより、平面に対する前後および左右の変異を診断することができる。
【００２５】
以上の診断の結果、咬合にズレがある場合は各石膏模型ＭＫ，ＮＫに図６に於いて点線で示すように溶解した樹脂材を付着させて歯形を合せた後、硬化させたスプリントＭＫ′，ＮＫ′を成形し、このスプリントＭＫ′又はＮＫ′を上顎と下顎に嵌めて咬合のズレを調整するのであるが、上記スプリントＭＫ′，ＮＫ′の成形に当ってはその各底面（上面）を平面状に整形する必要があるが、本発明に係る石膏模型用整形装置は、この整形作業を各石膏模型ＭＫ又はＮＫを上述した咬合診断器Ｔの上顎基定板１９にマウントした状態のまま行えるように構成したものである。
【００２６】
図６は上記の石膏模型ＭＫ又はＮＫ、或は、これ等石膏模型ＭＫ，ＮＫに装着して成形したスプリントＭＫ′，ＮＫ′の底面を、上述した砥石で平面状に切削及び研磨している状態を示したものであって、これ等の各作業に当っては先ず咬合診断器Ｔの基板１２を機体１の側面に開口した嵌込口１Ｈに嵌込んで、その先端部を左右のバランサー固定金具８，８に水平に固定する。
【００２７】
次いで、昇降柱１７の摘み１７Ａを回転しながら石膏模型ＭＫ又はＮＫを取付けた上顎基定板１９を次第に降下することにより、石膏模型ＭＫ又はＮＫ、或は、これ等模型に装置したスプリントＭＫ′，ＮＫ′の底面を回転中の砥石２に押し当てて、その底面を平らに切削及び研磨し、この切削及び研磨によって発生した石膏或は合成樹脂のダストを、その発塵源で左右の吸引ノズル３，３に吸引して集塵することができる。
【００２８】
また、上記砥石２による切削及び研磨は、ガイド柱１６に設けたメジャー１６Ａを見ながら昇降柱１７の摘み１７Ａを回転操作して行えるため、上顎基定板１９の降下量を適格に調整して、石膏模型ＭＫ，ＮＫ又はスプリントＭＫ′，ＮＫ′の底面を正確に切削及び研磨することができ、この整形作業によって造られたスプリントＭＫ′或はＮＫ′によって、上下の顎の咬合状態を調整することができる。
【００２９】
【発明の効果】
以上述べた次第で、本発明に係る石膏模型用整形装置によれば、石膏模型やそのスプリントの各底面部分を、周囲に粉塵を飛散させることなく誰にでも簡単に、且つ、確実に切削及び研磨することができるため、底面をきれいな平面状に仕上げた正確な寸法形状の石膏模型やスプリントを提供できるものであって、特に、咬合診断器にマウントした状態のまま整形できる点で、咬合診断模型やスプリントの整形に用いて洵に好適なものである。
【図面の簡単な説明】
【図１】本発明に係る石膏模型用整形装置の平面図である。
【図２】同じく正面図である。
【図３】同じく右側面図である。
【図４】同じく左側面図である。
【図５】咬合診断器の構成を説明した斜視図である。
【図６】本発明の使用状態を説明した斜視図である。
【符号の説明】
１            整形装置の機体
１Ｈ          嵌込口
２            砥石
３            吸引ノズル
４            ブロアー
７Ｍ          モータ
８            バランサー固定金具
Ｔ            咬合診断器
１２          基板
１９          上顎基定板
ＭＫ，ＮＫ    石膏模型（診断模型）
ＭＫ′，ＮＫ′        スプリント（咬合挙上副子）
【図１】
0003640567.tif 000002
【図２】
0003640567.tif 000003
【図３】
0003640567.tif 000004
【図４】
0003640567.tif 000005
【図５】
0003640567.tif 000006
【図６】
0003640567.tif 000007